(57)【要約】【課題】動画の撮像直後のユーザの記憶が鮮明なうちに、録画された動画の内容を的確にユーザに提示する。【解決手段】録画開始指示及び録画終了指示を入力するための操作部と、前記録画開始指示から前記録画終了指示までの録画期間に撮像された動画像を記録媒体に記録する記録部と、前記動画像を時分割した各区間を代表する複数のサムネイル画像を生成するサムネイル生成部と、前記録画終了指示の直後に、前記複数のサムネイル画像が時系列順に配列された録画確認画面を表示部に表示させる表示制御部とを備える、撮像装置が提供される。【選択図】図５
2010283538.tif 000002
【特許請求の範囲】
【請求項１】
録画開始指示及び録画終了指示を入力するための操作部と、
前記録画開始指示から前記録画終了指示までの録画期間に撮像された動画像を記録媒体に記録する記録部と、
前記動画像を時分割した各区間を代表する複数のサムネイル画像を生成するサムネイル生成部と、
前記録画終了指示の直後に、前記複数のサムネイル画像が時系列順に配列された録画確認画面を表示部に表示させる表示制御部と、
を備える、撮像装置。
【請求項２】
前記録画確認画面は、前記記録媒体に記録された前記動画像に対して実行可能な所定機能を表す少なくとも１つの機能アイコンをさらに含み、
前記撮像装置は、
前記表示部の表示画面に対して操作体が接触又は近接した位置を検出する位置検出部と、
前記録画確認画面の表示中に前記位置検出部により検出された前記表示画面上の位置が前記機能アイコンの表示位置に対応する場合に、前記記録媒体に記録された前記動画像の少なくとも一部の区間に対して、前記機能アイコンに対応する前記所定機能を行う機能制御部と、
をさらに備える、請求項１に記載の撮像装置。
【請求項３】
前記録画確認画面の表示中に前記位置検出部により検出された前記表示画面上の第１の位置が前記複数のサムネイル画像のうちの少なくとも１つのサムネイル画像の表示位置に対応し、前記位置検出部により検出された前記表示画面上の第２の位置が前記機能アイコンの表示位置に対応する場合に、前記機能制御部は、前記少なくとも１つのサムネイル画像に対応する区間の前記動画像に対して、当該機能アイコンに対応する前記所定機能を行う、請求項２に記載の撮像装置。
【請求項４】
前記所定機能は、
前記記録媒体に記録された前記動画像の少なくとも一部の区間を削除する機能、
前記記録媒体に記録された前記動画像の少なくとも一部の区間に対して評価値を付与する機能、又は、
前記記録媒体に記録された前記動画像の少なくとも一部の区間を再生する機能
のうち少なくともいずれかを含む、請求項２に記載の撮像装置。
【請求項５】
前記表示部の表示画面に対して操作体が接触又は近接した位置を検出する位置検出部をさらに備え、
前記録画確認画面内の前記複数のサムネイル画像のうち２つのサムネイル画像に対する所定の入力操作を前記位置検出部により検知した場合、前記サムネイル生成部は、前記２つのサムネイル画像に対応する区間の前記動画像を細分化した３以上のサブ区間を設定し、前記各サブ区間に対応する３以上のサムネイル画像を生成し、前記表示制御部は、前記録画確認画面内に当該３以上のサムネイル画像を表示させる、請求項１に記載の撮像装置。
【請求項６】
前記表示制御部は、前記各サムネイル画像を、当該各サムネイル画像に対応する区間の時間長に応じた表示態様で前記録画確認画面内に表示させる、請求項１に記載の撮像装置。
【請求項７】
インデックス指示を入力するためのインデックス用操作部と、
前記録画期間中に前記インデックス指示が入力された時点を表すインデックス情報を生成するインデックス情報生成部と、
をさらに備え、
前記サムネイル生成部は、前記録画期間に撮像された前記動画像から、前記インデックス情報が表す時点のフレームを前記サムネイル画像として抽出する、請求項１に記載の撮像装置。
【請求項８】
前記録画期間中に前記撮像装置の現在位置を測定し、前記撮像装置の現在位置を表す位置情報を生成する測位部をさらに備え、
前記表示制御部は、前記録画確認画面の表示後に、前記位置情報に基づいて前記動画像の撮像位置を地図上にマッピングした地図画面を前記表示部に表示させる、請求項１に記載の撮像装置。
【請求項９】
前記録画確認画面内に前記複数のサムネイル画像を表示する際に、前記表示制御部は、前記複数のサムネイル画像を時系列とは逆順に１つずつ表示させる、請求項１に記載の撮像装置。
【請求項１０】
録画開始指示から録画終了指示までの録画期間に撮像された動画像を記録媒体に記録するステップと、
前記動画像を時分割した各区間を代表する複数のサムネイル画像を生成するステップと、
前記録画終了指示の直後に、前記複数のサムネイル画像が時系列順に配列された録画確認画面を表示部に表示するステップと、
を含む、画像処理方法。
【請求項１１】
録画開始指示から録画終了指示までの録画期間に撮像された動画像を記録媒体に記録するステップと、
前記動画像を時分割した各区間を代表する複数のサムネイル画像を生成するステップと、
前記録画終了指示の直後に、前記複数のサムネイル画像が時系列順に配列された録画確認画面を表示部に表示するステップと、
をコンピュータに実行させるためのプログラム。
【発明の詳細な説明】
【技術分野】
【０００１】
本発明は、撮像装置、画像処理方法及びプログラムに関する。
【背景技術】
【０００２】
デジタルスチルカメラ等の撮像装置により静止画（例えば写真）を撮像する場合、シャッタボタンの押下に応じて静止画を撮像及び記録した直後に、記録した静止画を所定時間だけ自動的に表示し（オートレビュー：Ａｕｔｏ−Ｒｅｖｉｅｗ）、その後に撮像待機状態に移行する動作が一般的である（例えば特許文献１参照。）。このようなオートレビュー機能により、ユーザは、撮像直後に特別な操作を行わなくても、記録された静止画の内容を確認することができる。このため、ユーザは、撮像に失敗したと判断した場合には、記録された静止画を削除したり、もう一度撮像をやり直したりすることができる。
【０００３】
一方、デジタルビデオカメラ等の撮像装置により動画を撮像する場合には、録画終了ボタンの押下に応じて動画の録画を終了すると、録画状態から録画待機状態に移行する動作が一般的である。このように動画撮像では、上記静止画撮像のようなオートレビュー機能は存在していなかった。
【先行技術文献】
【特許文献】
【０００４】
【特許文献１】特開２００５−３４０９０４号公報
【発明の概要】
【発明が解決しようとする課題】
【０００５】
上記のように動画撮像でオートレビュー機能が存在しない理由の一つとして、動画撮像は、瞬間的な静止画撮像とは異なり、録画時間の概念が存在することが挙げられる。例えば、動画撮像直後のオートレビューとして、録画された動画を先頭から再生及び表示した場合、個々の動画の録画時間に応じてオートレビュー時間が相違することとなってしまう。また、録画時間が長い場合は、動画撮像直後のオートレビューに長時間を要するため、次の録画タイミングを逃してしまうこともある。従って、録画時間に関わらず、録画された動画の内容を一定の時間で的確に確認できる方法が希求されていた。
【０００６】
また、静止画は一時刻で撮像された一枚の画像であるので、ユーザは静止画を見れば、瞬時にその内容を把握できる。このため、撮像時から時間が経過しても、静止画の内容の把握やその要否の判断は比較的容易である。これに対し、動画は録画時間の概念が存在するため、撮像時から時間が経過してしまうと、記録されている動画の内容や要否の判断、編集等の作業が煩雑であるという問題があった。例えば、動画撮像からある程度の時間が経過した後に、ユーザが、記録されている動画の要否を判断して、その全部又は一部を削除したい場合を考える。この場合、ユーザは、その動画を先頭から再生して、時間をかけて動画の内容を確認した上で、該動画を削除するか否かを判断する必要があった。特に動画の録画時間が長い場合には、このような作業は非常に非効率かつ煩雑であった。
【０００７】
ところが、動画の撮像直後はユーザの記憶が鮮明であるため、ユーザは録画された動画を削除するか否かを容易に判断することができる。さらに、ユーザの記憶が鮮明であるがために、動画の撮像直後は、録画された動画に対する編集や操作を行うタイミングとしても適しているといえる。
【０００８】
そこで、本発明は、上記事情に鑑みてなされたものであり、動画の撮像直後のユーザの記憶が鮮明なうちに、録画された動画の内容を的確にユーザに提示できるようにすることを目的としている。
【課題を解決するための手段】
【０００９】
上記課題を解決するために、本発明のある観点によれば、録画開始指示及び録画終了指示を入力するための操作部と、前記録画開始指示から前記録画終了指示までの録画期間に撮像された動画像を記録媒体に記録する記録部と、前記動画像を時分割した各区間を代表する複数のサムネイル画像を生成するサムネイル生成部と、前記録画終了指示の直後に、前記複数のサムネイル画像が時系列順に配列された録画確認画面を表示部に表示させる表示制御部と、を備える、撮像装置が提供される。
【００１０】
前記録画確認画面は、前記記録媒体に記録された前記動画像に対して実行可能な所定機能を表す少なくとも１つの機能アイコンをさらに含み、前記撮像装置は、前記表示部の表示画面に対して操作体が接触又は近接した位置を検出する位置検出部と、前記録画確認画面の表示中に前記位置検出部により検出された前記表示画面上の位置が前記機能アイコンの表示位置に対応する場合に、前記記録媒体に記録された前記動画像の少なくとも一部の区間に対して、前記機能アイコンに対応する前記所定機能を行う機能制御部と、をさらに備えるようにしてもよい。
【００１１】
さらに、前記録画確認画面の表示中に前記位置検出部により検出された前記表示画面上の第１の位置が前記複数のサムネイル画像のうちの少なくとも１つのサムネイル画像の表示位置に対応し、前記位置検出部により検出された前記表示画面上の第２の位置が前記機能アイコンの表示位置に対応する場合に、前記機能制御部は、前記少なくとも１つのサムネイル画像に対応する区間の前記動画像に対して、当該機能アイコンに対応する前記所定機能を行うようにしてもよい。
【００１２】
さらに、前記所定機能は、前記記録媒体に記録された前記動画像の少なくとも一部の区間を削除する機能、前記記録媒体に記録された前記動画像の少なくとも一部の区間に対して評価値を付与する機能、又は、前記記録媒体に記録された前記動画像の少なくとも一部の区間を再生する機能のうち少なくともいずれかを含むようにしてもよい。
【００１３】
また、前記表示部の表示画面に対して操作体が接触又は近接した位置を検出する位置検出部をさらに備え、前記録画確認画面内の前記複数のサムネイル画像のうち２つのサムネイル画像に対する所定の入力操作を前記位置検出部により検知した場合、前記サムネイル生成部は、前記２つのサムネイル画像に対応する区間の前記動画像を細分化した３以上のサブ区間を設定し、前記各サブ区間に対応する３以上のサムネイル画像を生成し、前記表示制御部は、前記録画確認画面内に当該３以上のサムネイル画像を表示させるようにしてもよい。
【００１４】
また、前記表示制御部は、前記各サムネイル画像を、当該各サムネイル画像に対応する区間の時間長に応じた表示態様で前記録画確認画面内に表示させるようにしてもよい。
【００１５】
また、インデックス指示を入力するためのインデックス用操作部と、前記録画期間中に前記インデックス指示が入力された時点を表すインデックス情報を生成するインデックス情報生成部と、をさらに備え、前記サムネイル生成部は、前記録画期間に撮像された前記動画像から、前記インデックス情報が表す時点のフレームを前記サムネイル画像として抽出するようにしてもよい。
【００１６】
また、前記録画期間中に前記撮像装置の現在位置を測定し、前記撮像装置の現在位置を表す位置情報を生成する測位部をさらに備え、前記表示制御部は、前記録画確認画面の表示後に、前記位置情報に基づいて前記動画像の撮像位置を地図上にマッピングした地図画面を前記表示部に表示させるようにしてもよい。
【００１７】
前記録画確認画面内に前記複数のサムネイル画像を表示する際に、前記表示制御部は、前記複数のサムネイル画像を時系列とは逆順に１つずつ表示させるようにしてもよい。
【００１８】
また、上記課題を解決するために、本発明の別の観点によれば、録画開始指示から録画終了指示までの録画期間に撮像された動画像を記録媒体に記録するステップと、前記動画像を時分割した各区間を代表する複数のサムネイル画像を生成するステップと、前記録画終了指示の直後に、前記複数のサムネイル画像が時系列順に配列された録画確認画面を表示部に表示するステップと、を含む、画像処理方法が提供される。
【００１９】
また、上記課題を解決するために、本発明の別の観点によれば、録画開始指示から録画終了指示までの録画期間に撮像された動画像を記録媒体に記録するステップと、前記動画像を時分割した各区間を代表する複数のサムネイル画像を生成するステップと、前記録画終了指示の直後に、前記複数のサムネイル画像が時系列順に配列された録画確認画面を表示部に表示するステップと、をコンピュータに実行させるためのプログラムが提供される。
【００２０】
また、上記課題を解決するために、本発明の別の観点によれば、録画開始指示から録画終了指示までの録画期間に撮像された動画像を記録媒体に記録するステップと、前記動画像を時分割した各区間を代表する複数のサムネイル画像を生成するステップと、前記録画終了指示の直後に、前記複数のサムネイル画像が時系列順に配列された録画確認画面を表示部に表示するステップと、をコンピュータに実行させるためのプログラムが記録された、コンピュータ読み取り可能な記録媒体が提供される。
【００２１】
上記構成によれば、前記録画開始指示から前記録画終了指示までの録画期間に撮像された動画像が記録媒体に記録され、前記動画像を時分割した各区間を代表する複数のサムネイル画像が生成され、前記録画終了指示の直後に、前記複数のサムネイル画像が時系列順に配列された録画確認画面が表示部に表示される。これにより、動画像を撮像及び記録する録画期間の終了直後に、記録媒体に記録された動画像の内容を表す複数のサムネイル画像を含む録画確認画面を、表示部に自動的に表示して、ユーザに提示できる。
【発明の効果】
【００２２】
以上説明したように本発明によれば、動画の撮像直後のユーザの記憶が鮮明なうちに、録画された動画の内容を的確にユーザに提示することができる。
【図面の簡単な説明】
【００２３】
【図１】本発明の第１の実施形態に係る撮像装置の正面側の外観構成を示す斜視図である。
【図２】同実施形態に係る撮像装置の背面側の外観構成を示す斜視図である。
【図３】同実施形態に係る撮像装置のハードウェア構成を示すブロック図である。
【図４】同実施形態に係る撮像装置の機能構成を示すブロック図である。
【図５】同実施形態に係る録画確認画面の表示例を示す図である。
【図６】同実施形態に係る録画確認画面において動画像の一部の区間を削除するときのユーザ操作を示す図である。
【図７】同実施形態に係る撮像装置による録画終了時の処理方法を示すフローチャートである。
【図８】本発明の第２の実施形態に係る録画確認画面の表示例を示す図である。
【図９】同実施形態に係る地図画面の表示例を示す図である。
【図１０】同実施形態に係る撮像装置による録画終了時の処理方法を示すフローチャートである。
【図１１】本発明の第３の実施形態に係る録画確認画面の表示例を示す図である。
【図１２】同実施形態に係る録画確認画面の表示例を示す図である。
【図１３】同実施形態に係る録画確認画面の表示例を示す図である。
【図１４】同実施形態に係る地図画面の表示例を示す図である。
【図１５】同実施形態に係る地図画面の表示例を示す図である。
【図１６】本発明の第４の実施形態に係る録画確認画面の表示例を示す図である。
【図１７】同実施形態に係る録画確認画面の表示例を示す図である。
【図１８】同実施形態に係る録画確認画面の表示例を示す図である。
【図１９】同実施形態に係る録画確認画面の表示例を示す図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
なお、説明は以下の順序で行うものとする。
１．第１の実施の形態（録画確認画面の表示）
２．第２の実施の形態（録画確認画面と地図画面の切り替え表示）
３．第３の実施の形態（録画確認画面におけるサムネイル画像の表示態様の変更）
４．第４の実施の形態（録画確認画面におけるサムネイル画像の細分化）
【００２６】
＜１．第１の実施形態＞
［撮像装置の構成］
まず、図１〜図３を参照して、本発明の第１の実施形態に係る撮像装置の構成について説明する。図１、図２は、本実施形態に係る撮像装置１０の正面側と背面側の外観構成を示す斜視図であり、図３は、本実施形態に係る撮像装置１０のハードウェア構成を示すブロック図である。
【００２７】
図１、図２に示すように、本実施形態に係る撮像装置１０は、例えばデジタルビデオカメラで構成されており、動画を撮像及び記録する機能を有する。しかし、本発明の撮像装置は、ビデオカメラの例に限定されず、被写体を連続的に撮像した動画像を記録可能な任意の電子機器であれば、例えば、動画撮像機能を有するデジタルスチルカメラ、携帯電話、ＰＤＡ（Ｐｅｒｓｏｎａｌ  Ｄｉｇｉｔａｌ  Ａｓｓｉｓｔａｎｔ）、携帯型の映像／音楽プレーヤー、ゲーム機などにも適用できる。
【００２８】
撮像装置１０の外装を構成するケース１２は、左右方向の幅よりも大きな寸法の前後方向の長さ及び上下方向の高さを有している。なお、本明細書において左右は、撮像装置１０を後方から見た状態でいうものとし、また、撮像光学系の光軸方向で被写体側を前方といい、撮像素子側を後方という。
【００２９】
ケース１２の上部の前部には、撮像光学系１４が組み込まれたレンズ鏡筒１６が前後に延設され、レンズ鏡筒１６の前部がケース１２の前面に臨むように設けられている。レンズ鏡筒１６の後端には撮像光学系１４によって導かれた被写体像を撮像する撮像素子１８（図３参照）が設けられている。
【００３０】
図１に示すように、ケース１２の左側部には、表示パネル２０が開閉可能に設けられ、この表示パネル２０は閉じられた際に収容凹部１２０２に収容される。表示パネル２０は、撮像素子１８によって撮像された画像などを表示するための表示部の一例であり、例えば、液晶表示装置（ＬＣＤ：Ｌｉｑｕｉｄ  Ｃｒｙｓｔａｌ  Ｄｉｓｐｌａｙ）、有機ＥＬ表示装置（Ｏｒｇａｎｉｃ  Ｅｌｅｃｔｒｏ  Ｌｕｍｉｎｅｓｃｅｎｃｅ  Ｄｉｓｐｌａｙ）などで構成される。なお、収容凹部１２０２の底壁には、再生された音声データを出力するためのスピーカ２２（図３参照）が設けられている。
【００３１】
図２に示すように、ケース１２の右側面には、前後方向に延在するグリップベルト２６が設けられている。さらに、ケース１２の右側部には、画像データや音声データを記録するディスク状記録媒体２（図３参照）を装脱可能に収容する収容部２４が設けられ、収容部２４は開閉蓋２４０２により開閉される。ディスク状記録媒体２は、例えば、ブルーレイディスク（Ｂｌｕ−ｒａｙ  Ｄｉｓｃ）、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等の光ディスクである。なお、撮像された画像を記録するための記録媒体は、上記光ディスク以外にも、例えば、光磁気ディスク、メモリカード４（図３参照）等の半導体メモリといった任意のリムーバブルメディアであってもよいし、或いは、撮像装置１０に内蔵されたハードディスク等の内蔵型記録媒体であってもよい。
【００３２】
また、ケース１２の上面前部には、音声を収音するためのマイクロフォン２８が設けられている。ケース１２の上面後部には、小型の表示装置２９０２（図３参照）が組み込まれた電子式ビューファインダー装置２９が設けられている。また、ケース１２の背面下部側には、バッテリ２５が着脱可能に装着される。
【００３３】
さらに図１及び図２に示すように、撮像装置１０には、撮像に関する種々の機能の実行を指示するための操作部として、例えば、電源スイッチ３０Ａ、静止画撮像用ボタン３０Ｂ、ズーム用スイッチ３０Ｃ、モード切換用スイッチ３０Ｄ、動画撮像用ボタン３０Ｅ、インデックス用ボタン３０Ｆなどが設けられている。動画撮像用ボタン３０Ｅは、ユーザが撮像装置１０に対して、撮像された動画の録画開始／録画終了を指示するための操作具であり、録画開始ボタン及び録画終了ボタンとして兼用される。ユーザが、撮像したい被写体の構図を決めて動画撮像用ボタン３０Ｅを押下すると、撮像装置１０は録画動作を開始し、ユーザがもう一度動画撮像用ボタン３０Ｅを押下すると、撮像装置１０は録画動作を終了する。なお、録画動作とは、上記撮像素子１８によって連続的に撮像された画像（複数のフレームからなる動画像）のデータを、記録媒体に記録する動作である。
【００３４】
次に、図３を参照して撮像装置１０の内部構成について詳述する。図３に示すように、撮像装置１０は、上述したケース１２、撮像光学系１４、レンズ鏡筒１６、撮像素子１８、表示パネル２０、スピーカ２２、マイクロフォン２８、各種の操作部３０Ａ〜Ｆを備える。さらに、撮像装置１０は、タッチパネル４０、映像信号用増幅回路１００、画像データ処理部１０２、マイクロフォン用増幅回路１０４、音声データ処理回路１０５、出力用増幅回路１０６、記録再生回路１０８、コントロール回路１１０、記録再生機構１１２、ドライブ回路１１４、インターフェース回路１１６、メモリカード用スロット１１８、ズーム駆動部１２０、測位部１２２などを備える。
【００３５】
撮像光学系１４、レンズ鏡筒１６、撮像素子１８及びズーム駆動部１２０等は、被写体を撮像して撮像信号を出力する撮像部２００（図４参照）として機能する。撮像光学系１４は、フォーカスレンズ、ズームレンズ等の各種レンズや、不要な波長を除去する光学フィルタ、絞り等の光学部品からなる。被写体から入射された光は、撮像光学系１４における各光学部品を介して撮像素子１８に導かれる。撮像素子１８は、例えば、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子で構成される。この撮像素子１８は撮像光学系１４を介して導かれた光を光電変換し、撮像された被写体像を表す撮像信号（アナログ映像信号）を出力する。
【００３６】
映像信号用増幅回路１００及び画像データ処理部１０２は、撮像部により生成された撮像信号を信号処理して画像データを生成する画像処理部２１０（図４参照）として機能する。上記撮像素子１８で生成された撮像信号は映像信号用増幅回路１００で増幅され、画像データ処理部１０２に供給される。画像データ処理部１０２は、この撮像信号に所定の信号処理を行うことで、画像データ（動画データ又は静止画データ）を生成し、記録再生回路１０８に供給する。所定の信号処理は、例えば、ＣＤＳ（Ｃｏｒｒｅｌａｔｅｄ  Ｄｏｕｂｌｅ  Ｓａｍｐｌｉｎｇ：相関２重サンプリング）処理、プログラマブルゲインアンプ（ＰＧＡ）によるゲイン処理などのアナログ信号処理や、Ａ／Ｄ変換処理、ガンマ補正処理、ホワイトバランス処理等のデジタル信号処理などである。
【００３７】
また、マイクロフォン２８で収音された音声信号はマイクロフォン用増幅回路１０４で増幅され、音声データ処理回路１０５によって所定の信号処理がなされ音声データとして記録再生回路１０８に供給される。
【００３８】
記録再生回路１０８及び記録再生機構１１２は、画像データ、音声データ等の各種のデータを記録媒体に記録するとともに、記録媒体に記録された各種のデータを再生する記録再生部２２０（図４参照）として機能する。記録再生回路１０８は、コントロール回路１１０からの指示に基づいて、記録再生機構１１２を制御して、ディスク状記録媒体２に対してデータを記録／再生する。
【００３９】
例えば、記録再生回路１０８は、コントロール回路１１０の制御に従って、画像データ処理部１０２から供給された画像データ（動画データ又は静止画データ）や、音声データ処理回路１０５から供給された音声データを、記録再生機構１１２に供給する。記録再生機構１１２は、動画データ、静止画データや、音声データをディスク状記録媒体２に記録する。
【００４０】
また、記録再生回路１０８は、画像データ処理部１０２から供給された動画データ／静止画データや、音声データ処理回路１０５から供給された音声データを、インターフェース回路１１６を介して、メモリカード用スロット１１８に装着されたメモリカード４に記録する。
【００４１】
また、記録再生回路１０８は、コントロール回路１１０の制御に従って、画像データ処理部１０２から供給された動画データ／静止画データを、ドライブ回路１１４を介して表示パネル２０、２９０２に供給して、画像を表示させる。
【００４２】
また、記録再生回路１０８は、インターフェース回路１１６を介してメモリカード４から供給される動画データ／静止画データを、ドライブ回路１１４を介して表示パネル２０、２９０２に供給して、画像を表示させるとともに、インターフェース回路１１６を介してメモリカード４から供給される音声データを、出力用増幅回路１０６を介してスピーカ２２に供給して、音声を出力させる。
【００４３】
また、記録再生回路１０８は、記録再生機構１１２によりディスク状記録媒体２から再生された動画データ／静止画データを、ドライブ回路１１４を介して表示パネル２０、２９０２に供給して、画像を表示させるとともに、記録再生機構１１２によりディスク状記録媒体２から再生された音声データを、出力用増幅回路１０６を介してスピーカ２２に供給して、音声を出力させる。
【００４４】
表示パネル２０、２９０２は、上記のように供給された各種の画像データ（動画像、静止画）を表示する表示部として機能する。例えば、表示パネル２０、２９０２は、記録再生回路１０８から撮像中にリアルタイムで入力される動画像（ライブビュー画像）を表示する。これにより、ユーザは、撮像装置１０で撮像中の動画像を見ながら、撮像操作（例えば、ズーム操作や、録画開始指示、録画終了指示、インデックス指示の入力操作など）を行い、所望の被写体を所望の構図で撮像できる。また、記録媒体２、４に記録されている動画像を記録再生回路１０８により再生したときに、表示装置１３０は、記録再生回路１０８から入力された再生画像を表示する。これにより、ユーザは、記録媒体２、４に記録されている動画像の内容を確認することができる。
【００４５】
タッチパネル４０は、表示パネル２０の表示画面に対して操作体が接触又は近接した位置を検出する位置検出部として機能する。タッチパネル４０は、表示パネル２０に重ねて配設されており、操作体が接触又は近接した表示画面上の位置を検知するセンサを具備する。これにより、タッチパネル４０は、操作体により指定された表示画面上の位置や、操作体の移動軌跡や移動速度を検出することができる。タッチパネル４０の操作に用いられる操作体は、例えば、ユーザの指やスタイラス、タッチペン等である。タッチパネル４０は、操作体が接触又は近接した表示画面上の位置を座標として検出し、タッチパネル４０により検出された座標は、コントロール回路１１０に伝送されて、所定の処理が実行される。
【００４６】
タッチパネルとしては、例えば、感圧式、静電気式、光学式など、任意の方式のタッチパネルを使用できる。感圧式タッチパネルは、操作体によりパネルを押圧したときの圧力の変化を検知する。静電気式タッチパネルは、パネルに対する操作体の接触に伴う静電気による電気信号を検知する。光学式タッチパネルは、表示パネルの外枠に設けられた光学センサにより、パネルに接触した操作体の位置や移動方向を検知する方式が一般的である。また、他の方式の光学式センサとして、インセル型の光学式タッチパネルも存在する。インセル型の光学式タッチパネルでは、表示パネルに光学式センサアレイが搭載されており、この光学式センサアレイにより表示パネルに接触又は近接した操作体の位置や移動軌跡を検知する。
【００４７】
また、タッチパネル４０としては、操作体の接触を検知する接触式のタッチパネル（例えば、上記感圧式、静電気式のタッチパネル）が一般的である。ユーザは、指やスタイラス等でタッチパネル４０の面上を押圧（即ち、タップ）したり、当該押圧した指やスタイラス等を移動させたりすることで、撮像装置１０に対して各種の操作を行うことができる。
【００４８】
なお、操作体がタッチパネルに直接接触しなくても、タッチパネルに近接している操作体を認識可能な非接触式のタッチパネルも存在する。この非接触式のタッチパネルは、例えば、上記光学式タッチパネルで実現できる。以下では、説明の便宜上、操作体（例えば指）が接触した位置を検出する接触式のタッチパネル４０の例を挙げて説明するが、本発明の位置検出部は、非接触式のタッチパネルや、その他の画面位置検出デバイスで構成することも可能である。
【００４９】
コントロール回路１１０は、撮像装置１０の各部を制御する制御部２３０（図４参照）として機能する。コントロール回路１１０は、例えば、不図示のＣＰＵ（Ｃｅｎｔｒａｌ  Ｐｒｏｃｅｓｓｉｎｇ  Ｕｎｉｔ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成される。コントロール回路１１０におけるＲＯＭには、コントロール回路１１０の各種の制御処理を実行させるためのプログラムが格納されている。ＣＰＵは、該プログラムに基づいて動作して、ＲＡＭを用いながら、上記各制御のための必要な演算・制御処理を実行する。当該プログラムは、撮像装置１０に内蔵された記憶装置（例えばＲＯＭ）に予め格納しておくことができる。また、当該プログラムは、リムーバブル記録媒体に格納されて、撮像装置１０に提供されてもよいし、ＬＡＮ、インターネット等のネットワークを介して撮像装置１０にダウンロードされてもよい。
【００５０】
コントロール回路１１０の制御について以下に例示する。コントロール回路１１０は、電源スイッチ３０Ａに対するユーザ操作に基づいて撮像装置１０の電源のオン、オフを行う。
【００５１】
また、コントロール回路１１０は、静止画撮像用ボタン３０Ｂに対するユーザ操作に基づいて画像データ処理部１０２及び記録再生回路１０８に指令を与えることにより、画像データ処理部１０２から供給される静止画データを、記録再生回路１０８を介して記録再生機構１１２に供給することで、静止画データをディスク状記録媒体２に記録させる。このように、静止画撮像用ボタン３０Ｂは、静止画を撮像及び記録するためのいわゆるシャッタボタンとして機能する。
【００５２】
また、コントロール回路１１０は、ズーム用スイッチ３０Ｃに対するユーザ操作に基づいてズーム駆動部１２０に指令を与えることにより、撮像光学系１４の可動レンズ（図示せず。）を移動させて、撮像光学系１４のズーム率を変化させる。
【００５３】
また、コントロール回路１１０は、モード切換用スイッチ３０Ｄの操作に基づいて画像データ処理部１０２に指令を与えることにより、画像データ処理部１０２により動画データを生成する動画撮像モードと、画像データ処理部１０２により静止画データを生成する静止画撮像モードとを切り換える。なお、動画撮像モードでは、画像データ処理部１０２で生成された動画データが記録再生回路１０８を介してディスク状記録媒体２またはメモリカード４に記録され、静止画撮像モードでは、画像データ処理部１０２で生成された静止画データが記録再生回路１０８を介してディスク状記録媒体２またはメモリカード４に記録される。なお、コントロール回路１１０は、上記２つの撮像モード以外にも、記録された画像を再生するための再生モードに切り替えることもできる。
【００５４】
また、コントロール回路１１０は、動画撮像用ボタン３０Ｅに対する第１のユーザ操作に基づいて、撮像装置１０による動画データの記録を開始／停止させる。すなわち、コントロール回路１１０は、動画撮像用ボタン３０Ｅに対するユーザ操作（録画開始指示）に基づいて、画像データ処理部１０２及び記録再生回路１０８に指令を与えることにより、画像データ処理部１０２から供給される動画データを、記録再生回路１０８を介して記録再生機構１１２に供給することで、動画データをディスク状記録媒体２に記録させる動作を開始（録画開始）させる。さらに、コントロール回路１１０は、動画撮像用ボタン３０Ｅに対する第２のユーザ操作（録画終了指示）に基づいて、上記記録動作を停止（録画終了）させる。このように、動画撮像用ボタン３０Ｅは、ユーザが撮像装置１０に対して動画像の録画開始／終了を指示するための操作部材（録画開始／終了用操作部）として機能する。なお、本実施形態に係る撮像装置１０では、録画開始用操作部と録画終了用操作部を同一の操作部材（動画撮像用ボタン３０Ｅ）で構成しているが、両者を別の操作部材で構成してもよい。
【００５５】
また、コントロール回路１１０は、録画開始指示から録画終了指示までの録画期間中に、インデックス用ボタン３０Ｆに対するユーザ操作（インデックス指示）に基づいて、録画される動画データに関するインデックス情報を生成し、そのインデックス情報を当該動画データに関連づけて記録する。インデックス用ボタン３０Ｆは、ユーザによるインデックス指示を入力するための操作部材（インデックス用操作部）として機能する。
【００５６】
インデックス情報は、録画期間中にユーザにより指定された時点を示す時間情報である。例えば、動画撮像中に、ユーザは、撮像中に盛り上がったシーン（例えば、野球のホームランのシーン）や好みのシーン（例えば、子供の笑顔のシーン）で、インデックス用ボタン３０Ｆを押下する。これにより、録画される動画像の任意の時点にインデックス（しおり）を付加して、撮像中にユーザが指定したシーンを特別なシーンとして識別可能にしておくことができる。このように動画像の撮像時に生成されるインデックス情報は、事後的に動画像を再生したり編集したりするときのインデックスとして有用である。
【００５７】
測位部１２２は、撮像装置１０の現在位置を測定して、その現在位置を表す位置情報を生成する機能を有する。測位部１２２は、例えば、ＧＰＳ（Ｇｌｏｂａｌ  Ｐｏｓｉｔｉｏｎｉｎｇ  Ｓｙｓｔｅｍ）センサ、角速度センサ、加速度センサ、磁気センサなどで構成される。測位部１２２は、かかる各種のセンサを用いて、動画像を撮像した時の撮像装置の現在位置（緯度、経度等）や姿勢などを測定することによって、動画像の撮像位置を表す位置情報を生成する。
【００５８】
例えば、ＧＰＳセンサは、複数のＧＰＳ衛星からの電波を受信して、各ＧＰＳ衛星との距離を割り出すことにより、撮像装置１０の現在位置（緯度、経度）を測定する。角速度センサ、加速度センサは、撮像中に撮像装置１０が移動したときの角速度、加速度をそれぞれ検出する。磁気センサは、当該撮像装置１０の周囲の磁場を検出することで、撮像装置１０の向きを検出する。測位部１２２は、このように検出した撮像装置１０の現在位置、角速度、加速度、地磁気の変動などの測定データを解析することによって、動画像を撮像したときの撮像装置１０の位置（即ち、撮像位置）を求め、求めた撮像位置を表す位置情報を生成する。
【００５９】
コントロール回路１１０は、記録再生回路１０５等を制御することにより、上記測位部１２２により生成された位置情報を、録画された動画データに関連づけて記録媒体に記録する。例えば、位置情報は、録画期間中に所定の時間間隔（例えば数秒ごと、数分ごと）で生成され、録画中の動画像の撮像時間情報（例えば、動画像の先頭からの時間、タイムコード、又は、撮像時刻などを表す情報）と関連づけられて、不図示のメモリに記録される。また、位置情報は、録画される動画像のデータ内に埋め込まれてもよい。
【００６０】
また、コントロール回路１１０は、上記記録再生機構１１２、記録再生回路１０８、ドライブ回路１１４等を制御することにより、録画期間に撮像された動画像から複数枚のサムネイル画像を生成し、動画撮像直後（即ち、録画終了指示の直後）に、録画確認画面を表示パネル２０に表示させる。この録画確認画面は、動画像の録画終了直後に、録画された動画像の内容を確認するためのオートレビュー画面（Ｒｅｃ＿Ｒｅｖｉｅｗ画面）であるが、その詳細説明は後述する。
【００６１】
［撮像装置の機能構成］
次に、図４を参照して、本実施形態に係る撮像装置１０の機能構成について説明する。図４は、本実施形態に係る撮像装置１０の機能構成を示すブロック図である。
【００６２】
図４に示すように、撮像装置１０は、撮像部２００と、画像処理部２１０と、記録再生部２２０と、制御部２３０と、表示パネル２０と、各種の操作部３０Ａ〜３０Ｆと、別の操作部であるタッチパネル４０と、測位部１２２とを備える。制御部２３０は、撮像制御部２３２と、サムネイル生成部２３４と、録画確認画面生成部２３６と、表示制御部２３８と、地図画面生成部２４０と、記憶部であるメモリ２４２と、インデックス情報生成部２４４と、機能制御部２４６とを備える。以下、撮像装置１０の各機能部について説明する。
【００６３】
撮像部２００は、例えば図３に示した撮像光学系１４、レンズ鏡筒１６、撮像素子１８と、ズーム駆動部１２０等の駆動回路からなる。撮像部２００は、撮像制御部２３２による制御に従って、撮像素子１８により被写体の光学像を撮像し、当該撮像により得られた画像を表す撮像信号を出力する。
【００６４】
画像処理部２１０は、例えば図３に示した映像信号用増幅回路１００及び画像データ処理部１０２等からなる。画像処理部２１０は、撮像制御部２３２による制御に従って、撮像信号に対して所定の信号処理を施すことにより、複数枚の画像データからなる動画像を生成する。動画像は、所定の時間間隔（例えば１／６０秒）で連続的に生成される動画フレームからなる。
【００６５】
記録再生部２２０は、例えば図３に示した記録再生回路１０８及び記録再生機構１１２からなり、ディスク状記録媒体２に対して各種データを記録したり、ディスク状記録媒体２から各種データを再生したりする。例えば、記録再生部２２０は、撮像制御部２３２による制御に従って、画像処理部２１０から入力された動画像をディスク状記録媒体２に記録し、また、ディスク状記録媒体２に記録された動画像を再生する。さらに、記録再生部２２０は、後述するサムネイル生成部２３４により生成されたサムネイル画像をディスク状記録媒体２に記録し、また、ディスク状記録媒体２に記録されたサムネイル画像を再生する。
【００６６】
制御部２３０は、例えば図３に示したコントロール回路１１０からなり、撮像装置１０の各部を制御する。コントロール回路１１０のプロセッサが、以下に説明する各機能を実現するためのコンピュータプログラムを実行することにより、図４に示す各機能部が実現される。
【００６７】
撮像制御部２３２は、撮像装置１０の撮像動作を制御する。即ち、撮像制御部２３２は、各種操作部３０Ａ〜３０Ｅに対するユーザ操作に応じて、上記のように撮像部２００、画像処理部２１０、記録再生部２２０を制御して、動画又は静止画の撮像処理や、記録／再生処理を実行させる。例えば、ユーザが動画撮像用ボタン３０Ｅを押下して、録画開始指示を入力すると、撮像制御部２３２は、記録再生部２２０を制御して、撮像部２００及び画像処理部２１０により生成された動画像を、ディスク状記録媒体２に記録開始する（録画開始動作）。一方、ユーザが動画撮像用ボタン３０Ｅをもう一度押下して、録画終了指示を入力すると、撮像制御部２３２は、記録再生部２２０を制御して、当該動画像の記録を終了する（録画終了動作）。
【００６８】
なお、撮像制御部２３２は、モード切換用スイッチ３０Ｄに対するユーザ操作に基づいて、撮像装置１０の動作モードを、動画撮像モード、静止画撮像モード又は再生モード等に切り替えることができる。動画撮像モード及び静止画撮像モードでは、撮像部２００による撮像処理と、画像処理部２１０による画像処理は継続的に行われており、これらの処理により得られた撮像中の動画像は、表示パネル２０にライブビュー画像として表示される。ユーザは、このライブビュー画像を見ながら、被写体の構図やシャッターチャンスを判断して、動画又は静止画の記録指示を撮像装置１０に入力する。動画撮像モードでは、上記動画撮像用ボタン３０Ｅによる録画開始指示から録画終了指示までの録画期間に撮像及び画像処理された動画像のデータが、ディスク状記録媒体２に記録される。静止画撮像モードでは、ユーザが静止画撮像用ボタン３０Ｂ（いわゆるシャッタボタン）を押下したレリーズ指示に応じて、当該レリーズ指示のタイミングで撮像及び画像処理された静止画のデータがディスク状記録媒体２に記録される。
【００６９】
サムネイル生成部２３４は、ユーザによる録画開始指示から録画終了指示までの録画期間に記録される動画像を複数の区間に時分割し、当該動画像の各区間を代表するサムネイル画像をそれぞれ生成する。サムネイル画像は、録画期間に録画された動画像から抽出された静止画像である。区間は、所定の時間長を有する動画像を時分割することにより設定される画像区間である。動画像を時分割した複数の区間をそれぞれ代表する複数のサムネイル画像は、後述する録画確認画面に時系列順で表示される。
【００７０】
詳細には、サムネイル生成部２３４は、動画像を時分割した各区間からそれぞれ１つのフレームの画像を抽出することによって、動画像の各区間のサムネイル画像を生成する。例えば、録画時間が１０分である動画像を１０個の区間に均等に分割した場合には、個々の区間の時間長は１分となり、１０枚のサムネイル画像が生成される。サムネイル生成部２３４は、全ての動画像を常に所定数（固定数）の区間に時分割し、当該所定数のサムネイル画像を生成してもよいし、或いは、区間の時間長を固定とし、動画像ごとに区間数を変化させて、任意の数のサムネイル画像を生成してもよい。以下の説明では、サムネイル生成部２３４は、動画像を所定数（例えば９個）の区間に時分割し、それぞれの区間を代表するサムネイル画像を生成する例について説明する。
【００７１】
ここで、サムネイル生成部２３４が複数のサムネイル画像を生成するタイミングについて説明する。サムネイル画像の生成は、動画像の録画期間中（動画撮像中）に行われてもよいし、或いは、録画期間終了直後に行われてもよい。
【００７２】
録画期間中にサムネイル画像を生成する場合には、サムネイル生成部２３４は、画像処理部２１０から出力される動画像から、任意の時間間隔でフレームを抽出することで、サムネイル画像を生成する。そしてサムネイル生成部２３４は、そのサムネイル画像と、そのサムネイル画像の撮像時間情報（例えば、動画像の先頭からの時間、タイムコード、又は、撮像時刻などを表す情報）とを、記録再生部２２０を介して記録媒体２や不図示のメモリ等に記録しておく。このとき、サムネイル画像と撮像時間情報は、例えば、データベースファイル（ＡＶｉｎｄｅｘファイル等）として保存されてもよい。このように録画期間中には、最終的な録画時間は分からないので、サムネイル生成部２３４は、所定の時間間隔で多数のサムネイル画像を生成しておく。
【００７３】
その後、ユーザが動画撮像用ボタン３０Ｅを押下して録画開終了指示を入力したときに、サムネイル生成部２３４は、録画期間に記録された動画像を、予め設定された所定数（例えば９個）の区間に時分割し、各区間に属する複数のサムネイル画像の中から１つのサムネイル画像を抽出する。例えば、サムネイル生成部２３４は、録画された動画像の時間長（即ち、録画時間）を９等分し、その９等分した各時間に最も近い時刻に生成されたサムネイル画像をそれぞれ抽出する。これにより、動画像を均等に９分割した各区間をそれぞれ代表する９枚のサムネイル画像が抽出され、該９枚のサムネイル画像が録画確認画面に表示される。
【００７４】
一方、録画期間終了直後にサムネイル画像を生成する場合には、ユーザが動画撮像用ボタン３０Ｅを押下して録画開終了指示を入力したときに、サムネイル生成部２３４は、記録媒体２に記録された動画像を読み出し、その動画像を所定数（例えば９個）の区間に時分割し、各区間内の任意の時点（例えば先頭、末尾、中央など）の画像をそれぞれデコードして、所定数のサムネイル画像を生成し、不図示のメモリ等に保存する。
【００７５】
録画確認画面生成部２３６は、録画された動画像のサムネイル画像が時系列順に配列された録画確認画面を生成する。録画確認画面は、動画像の録画終了直後（つまり、録画終了指示が入力された直後）に、撮像装置１０の表示パネル２０に自動的に表示されるオートレビュー画面である。この録画確認画面は、録画された動画像の概要を録画直後にユーザに提示するためのオートレビュー機能と、録画直後に当該動画像に対して所定機能（再生、削除、レーティング等）を実行するため画像操作機能とを兼ね備えている。かかる録画確認画面は、サムネイル生成部２３４により生成された複数のサムネイル画像と、ＧＵＩ（Ｇｒａｐｈｉｃａｌ  Ｕｓｅｒ  Ｉｎｔｅｒｆａｃｅ）部品である機能アイコンとを含むが、詳細は後述する（図５参照）。
【００７６】
表示制御部２３８は、表示パネル２０を制御して、各種の画像やデータを表示させる。例えば、表示制御部２３８は、録画確認画面生成部２３６により生成された録画確認画面を表示パネル２０に表示させる。また、表示制御部２３８は、後述の地図画面生成部２４０により生成された地図画面を表示パネル２０に表示させる。
【００７７】
地図画面生成部２４０は、動画像の撮像位置を表す地図画面を生成する。地図画面は、動画像の録画終了直後に上記録画確認画面が表示された後に、撮像装置１０の表示パネル２０に表示される。この地図画面は、現在及び過去に録画された１又は２以上の動画像の撮像位置を地図中にマッピングした画面であるが、詳細は後述する（図９参照）。
【００７８】
測位部１２２は、上記のようにＧＰＳセンサ等で構成され、撮像装置１０の現在位置を測定する。測位部１２２は、少なくとも動画像の録画期間中に、撮像装置１０の現在位置（例えば緯度・経度）や移動軌跡を表す位置情報を生成し、当該位置情報を、録画期間に録画された動画像に関連づけてメモリ２４２に保存する。地図画面生成部２４０は、メモリ２４２から上記位置情報を読み出し、当該位置情報に基づいて地図画面を生成する。かかる地図画面は、表示制御部２３８によって、上記録画確認画面の表示後に表示パネル２０に表示される。
【００７９】
インデックス情報生成部２４４は、録画期間中に、ユーザがインデックス用ボタン３０Ｆを用いてインデックス指示を入力した時点を表すインデックス情報を生成し、当該インデックス情報を、録画される動画像に関連づけて保存する。上記のようにインデックス情報は、録画期間中にユーザによりインデックス指示が入力された時点（即ち、インデックス用ボタン３０Ｆが押下された時点）を示す時間情報である。インデックス情報は、動画像中の盛り上がったシーンや好みのシーンに付加されるインデックスとして機能する。
【００８０】
動画像の撮像中（録画期間中）にユーザがインデックス用ボタン３０Ｆを押下して、インデックス指示を入力する。このインデックス指示を入力に応じて、インデックス情報生成部２４４は、該インデックス指示が入力された時点を示す時間情報（例えば、押下された時刻、又は、動画像の先頭からの時間、タイムコードなど）を含むインデックス情報を生成する。そして、インデックス情報生成部２４４は、生成したインデックス情報を、当該動画像に関連づけてメモリ２４２に保存する。このように、インデックス情報を生成することで、録画される動画像に対して、ユーザ所望のシーンを表すインデックスを付加できる。
【００８１】
サムネイル生成部２３４は、録画確認画面に表示するサムネイル画像を生成する際に、メモリ２４２に保存されたインデックス情報に基づいて、インデックスが付加された動画像のフレームを特定し、そのフレームをサムネイル画像として優先的に抽出してもよい。なお、インデックスが付加された動画像のフレームとは、動画像のうちインデックス情報が表す時点に対応するフレームである。
【００８２】
例えば、動画像のある区間にインデックスが付加されている場合には、サムネイル生成部２３４は、その区間のサムネイル画像として、インデックスが付加されたフレームを優先的に抽出する。また、１つの区間に複数のインデックスが付加されている場合には、サムネイル生成部２３４は、その中から特定の１つのインデックス（例えば最先、末尾のインデックス）が付加された動画像のフレームを抽出する。一方、インデックスが１つも付加されていない区間については、サムネイル生成部２３４は、その区間内の任意の時点のフレーム（例えば、区間内の先頭、末尾又は中央のフレーム）を抽出すればよい。
【００８３】
さらに、録画確認画面生成部２３６は、インデックスが付加されたサムネイル画像と、インデックスが付加されていないサムネイル画像とを識別可能な表示態様で、録画確認画面を生成する。以上のように、本実施形態では、録画された動画像のうち、撮像時にインデックスが付加された画像フレームをサムネイル画像として優先的に抽出して、録画確認画面に当該サムネイル画像を識別可能に表示する。これにより、ユーザは、録画確認画面を見て、動画像の内容をより的確に把握できる。
【００８４】
機能制御部２４６は、録画された動画像の録画確認画面の表示中に、タッチパネル４０に対するユーザ操作に基づいて、当該動画像の一部又は全部に対して、所定機能を実行する。所定機能は、動画像の画像データに対して実行可能な任意の機能であり、例えば、動画像の少なくとも一部の区間の削除、評価値の付与（即ち、レーティング）又は再生などの機能である。機能制御部２４６は、これらの所定機能を、録画された１つの動画像の全部に対して行ってもよいし、或いは、当該動画像の一部の区間に対してのみ行ってもよい。
【００８５】
例えば、録画確認画面の表示中に、タッチパネル４０により検出された表示画面上の第１の位置が、録画確認画面に表示された複数のサムネイル画像のうち１又は２以上のサムネイル画像の表示位置に対応し、かつ、タッチパネル４０により検出された表示画面上の第２の位置が、複数の機能アイコンのうち、削除アイコンの表示位置に対応する場合を考える。この場合、ユーザが、タッチパネル４０を用いて、複数のサムネイル画像のうち１又は２以上のサムネイル画像を選択し、かつ、削除アイコンを選択したことなる。そこで、機能制御部２４６は、記録媒体２に記録された動画像のうち、タッチパネル４０により選択されたサムネイル画像に対応する区間の画像データに対して、削除アイコンに対応する機能（即ち、削除機能）を実行する。即ち、機能制御部２４６は、録画された動画像のうち当該区間の画像データを記録媒体２から部分的に削除する。このようにして、ユーザはタッチパネル４０を用いて、録画確認画面内の所望のサムネイル画像と機能アイコンを選択することで、たった今録画したばかりの動画像に対して、削除、レーティング、再生等の機能を実行することができる。
【００８６】
［録画確認画面の表示例］
次に、図５を参照して、本実施形態に係る録画確認画面３００の表示例について説明する。図５は、本実施形態に係る録画確認画面３００の表示例を示す図である。
【００８７】
図５に示すように、撮像装置１０より動画像を撮像及び記録する録画期間中に、ユーザにより動画撮像用ボタン３０Ｅが押下（即ち、録画終了指示が入力）されたとき、つまり、動画像の録画を終了したときには、表示パネル２０の表示画面２６０上に録画確認画面３００が表示される。録画確認画面３００は、例えば、表示画面２６０よりも一回り小さい矩形状のウィンドウ画像であり、表示画面２６０全体に表示される録画待機画面２６２上に重畳して表示される。録画待機画面２６２は、撮像装置１０により現在撮像中の画像を表示するライブビュー画面であり、ユーザにより録画開始指示が入力されるまで待機する録画待機モードで表示される。従来の一般的なビデオカメラでは、録画終了指示に応じて録画モードから録画待機モードに移行したときには、録画待機画面２６２のみが表示されていた。
【００８８】
本実施形態に係る撮像装置１０は、録画期間中に動画撮像用ボタン３０Ｅの押下に応じて録画動作を終了した直後に、たった今録画したばかりの動画像の内容をユーザに提示するための録画確認画面３００を表示する。録画確認画面３００は、動画像の録画終了直後（つまり、動画撮像用ボタン３０Ｅの押下による録画終了指示の直後）に、撮像装置１０の表示パネル２０に自動的に表示されるオートレビュー画面である。ここで、「録画終了指示の直後（録画終了直後）」とは、「録画終了指示が入力された時点から、録画確認画面３００の生成及び表示に必要な処理時間の経過後すぐに」を意味するが、例えば、録画終了指示が入力された時点から数秒（例えば１秒）以内に録画確認画面３００が表示されることが好ましい。録画確認画面３００は、タッチパネル４０に対して所定機能を実行するためのユーザ操作が行なわれない限り、録画終了直後に自動的に表示されてから任意の所定時間Ｔｓが経過すると自動的に消え、録画待機画面２６２に戻る。録画終了前後において表示パネル２０の表示画面２６０に表示される画面の遷移を整理すると以下の通りである
【００８９】
（１）録画モード（録画期間）には、撮像及び録画中のライブビュー画面が表示される。
（２）録画期間に録画終了指示が入力されて、録画を終了した直後には、録画確認画面３００が自動的に表示され、所定時間Ｔｓ経過後に当該録画確認画面３００が自動的に消去される。
（３）録画確認画面３００が消去された後の録画待機モード（非録画期間）では、撮像中のライブビュー画面である録画待機画面２６２が表示される。
【００９０】
以下に、録画確認画面３００の内容について詳述する。録画確認画面３００は、録画された動画像から抽出された複数のサムネイル画像３１０と、ＧＵＩ部品である機能アイコン３２０とを含む。かかる録画確認画面３００は、（ａ）録画された動画像の内容を録画直後にユーザに提示するためのオートレビュー機能と、（ｂ）録画直後に当該動画像の少なくとも一部に対して所定機能（削除、レーティング、再生等）を実行するため画像操作機能とを兼ね備えている。（ａ）のオートレビュー機能は、録画確認画面３００内に時系列に配列される複数のサムネイル画像３１０で実現される。（ｂ）の画像操作機能は、録画確認画面３００内にサムネイル画像３１０とともに表示される機能アイコン３２０により実現される。
【００９１】
（ａ）オートレビュー機能
まず、録画確認画面３００のオートレビュー機能について詳述する。録画確認画面３００内には、録画された動画像に関する複数のサムネイル画像３１０が時系列順に表示される。サムネイル画像３１０は、録画された動画像を時分割した複数の区間をそれぞれ代表する静止画像である。サムネイル画像３１０は、録画確認画面３００内に、予め設定された所定数Ｋ（Ｋ＝固定数）のみ表示される。図５の録画確認画面３００の例では、上下２段に合計６枚のサムネイル画像３１０Ａ〜３１０Ｆが表示されている。
【００９２】
撮像装置１０の表示画面２６０のサイズには限りがあるので、１つの録画確認画面３００内に過度に多くのサムネイル画像３１０を表示すると、個々のサムネイル画像３１０が小さくなり、ユーザがその内容を把握しにくくなってしまう。また、画面切り替えや画面スクロール等を用いて、サムネイル画像の大きさを確保しながら多数のサムネイル画像を表示可能とする手法も考えられる。しかし、これらの手法では、１画面で全てのサムネイル画像が表示されず、画面切り替え等にユーザ操作を要するので、録画直後に録画内容を瞬時に把握するという録画確認画面３００の趣旨からは、適切ではない。
【００９３】
そこで、サムネイル画像３１０の大きさを確保して、１画面内で動画像全体の内容をユーザに分かりやすく提示するために、録画確認画面３００内に表示されるサムネイル画像３１０の数を、画面サイズに適した所定数Ｋに固定することが好ましい。この結果、いかなる録画時間の動画像についても、録画確認画面３００内に好適に収まるように予め設定された所定数Ｋのサムネイル画像３１０が抽出及び表示される。なお、表示されるサムネイル画像３１０の所定数Ｋは、図５の６枚の例に限られず、例えば、後述する図８の９枚などであってもよい。
【００９４】
このように、１つの動画像について所定数Ｋのサムネイル画像３１０を表示するために、撮像装置１０は、１回の録画動作により録画された動画像を所定数Ｋ（例えば６個、９個）の区間に時分割する。このとき、撮像装置１０は、動画像の時間長を等分することで、所定数Ｋの区間を設定し、等分された各区間からそれぞれ１枚のフレーム（例えば、各区間の先頭、末尾又は中央のフレーム）をサムネイル画像３１０として抽出してもよい。
【００９５】
或いは、撮像装置１０は、動画像の内容を解析して、動画像を構成する複数のシーンを認識することによって、動画像をシーンごとに時分割して、所定数Ｋのシーンに対応する区間を設定してもよい。シーン認識により、所定数Ｋより多くのシーン、又は所定数Ｋ未満のシーンが認識された場合には、シーンを統合又は分割して、最終的に所定数Ｋの区間を設定する。このようにシーンごとに設定された動画像の区間から、それぞれ１枚のフレーム（例えば、各区間の先頭、末尾又は中央のフレーム）をサムネイル画像３１０として抽出することができる。
【００９６】
また、上記のように録画期間中に盛り上がったシーンなどで、ユーザがインデックス用ボタン３０Ｆを用いて動画像にインデックスを付加しておくことができる、インデックスの有無や位置は、インデクスが付加された動画像の時点を表すインデックス情報で判別できる。このように動画像にインデックスが付加されていた場合、撮像装置１０は、動画像の各区間からサムネイル画像３１０を抽出する際に、インデックスが付加された動画像のフレームをサムネイル画像３１０として優先的に選択する。インデックスが付加されている時点のサムネイル画像３１０は、録画確認画面３００内で、インデックスが付加されていることが分かるような表示態様で表示される。例えば、図５の例で、サムネイル画像３１０Ｂは、インデックスが付加された時点のサムネイル画像である、このサムネイル画像３１０Ｂには、その左上に目立つ色彩（例えばピンク色）のインデックスマーク３１２が付加されている。
【００９７】
以上のようにして、録画された動画像から抽出された所定数Ｋのサムネイル画像３１０は、図５に示すように、録画確認画面３００の１画面内で時系列順に配列される。図５の例では、６枚のサムネイル画像３１０Ａ〜３１０Ｆが、左上から右下にかけて時系列順に、即ち、３１０Ａ→３１０Ｂ→３１０Ｃ→３１０Ｄ→３１０Ｅ→３１０Ｆの順で配列されている。この６枚のサムネイル画像３１０Ａ〜３１０Ｆは、録画された動画像を時分割した６個の区間をそれぞれ代表するものであり、当該動画像の全体構成を反映している。ユーザは、時系列順に配列されたサムネイル画像３１０Ａ〜３１０Ｆを順に見ることで、１回の録画動作で録画された動画像のシーンの遷移を把握できる。
【００９８】
以上のように、本実施形態に係る撮像装置１０は、上記サムネイル画像３１０Ａ〜３１０Ｆが時系列順に配列された録画確認画面３００を、録画終了直後に表示画面２６０に表示する。これによって、動画像を撮像及び録画した直後のユーザの記憶が鮮明なうちに、録画した動画像の全体構成をユーザに対して分かりやすく提示できる。よって、ユーザは、動画像の内容を容易かつ適切に把握でき、その動画像を削除するか否かや、編集の要否などを容易に判断できる。また、ユーザが録画期間中にインデックスを付加した時点のサムネイル画像３１０Ｂも表示されるので、ユーザは、盛り上がったシーン等の録画内容をより適切に把握できる。
【００９９】
さらに、録画終了直後に録画確認画面３００内に複数のサムネイル画像３１０を表示する際に、当該複数のサムネイル画像３１０は、時系列とは逆順に１枚ずつ表示される。図５の例では、サムネイル画像３１０Ａ〜Ｆは、３１０Ｆ→３１０Ｅ→３１０Ｄ→３１０Ｃ→３１０Ｂ→３１０Ａの順で、順次表示される。これにより、録画終了指示を入力した時点から時間的に近い区間のサムネイル画像３１０から順に、時間を遡るようにして表示できる。従って、ユーザは、録画確認画面３００内で、より記憶が鮮明なシーンのサムネイル画像３１０から順に見ることができ、録画内容を更に把握し易くなる。なお、録画確認画面３００内におけるサムネイル画像３１０の表示順は、上記のような時系列とは逆順の例に限定されず、例えば、複数のサムネイル画像３１０を時系列順に１枚ずつ表示してもよいし、全てのサムネイル画像３１０を同時に表示してもよい。
【０１００】
（ｂ）画像操作機能
次に、録画確認画面３００の画像操作機能について詳述する。録画確認画面３００内には、上記複数のサムネイル画像３１０に加え、複数の機能アイコン３２０が表示される。機能アイコン３２０は、録画された動画像に対して所定機能（例えば、再生、レーティング、削除等）を実行するための契機となるＧＵＩ部品である。図５の例では、録画確認画面３００の下部に、３つの機能アイコン３２０として、再生アイコン３２０Ａ、レーティングアイコン３２０Ｂ、削除アイコン３２０Ｃが表示されている。
【０１０１】
再生アイコン３２０Ａは、記録媒体２に記録された動画像の少なくとも一部の区間を再生する機能（再生機能）を実行するための機能アイコンである。レーティングアイコン３２０Ｂは、記録媒体２に記録された動画像の少なくとも一部の区間に対して評価値（例えば５段階評価値）を付与する機能（レーティング機能）を実行するための機能アイコンである。削除アイコン３２０Ｃは、記録媒体２に記録された動画像の少なくとも一部の区間を削除する機能（削除機能）を実行するための機能アイコンである。
【０１０２】
ユーザは、録画確認画面３００上で上記機能アイコン３２０を指定することで、録画された動画像に対して、当該選択した機能アイコン３２０に対応する機能を実行させることができる。上述したように、撮像装置１０の表示パネル２０上にはタッチパネル４０が設けられており、タッチパネル４０は、ユーザにより指定された表示画面上の位置（画面位置）を検出する。かかるタッチパネル４０により、表示パネル２０に対するユーザ操作、例えば、ユーザによるサムネイル画像３１０の選択操作や機能アイコン３２０の選択操作などを検出できる。
【０１０３】
録画確認画面３００の表示中には、撮像装置１０は、タッチパネル４０により当該ユーザ操作の有無を検出している。この結果、録画確認画面３００の表示中にタッチパネル４０により検出された位置が、いずれかの機能アイコン３２０の表示位置に対応する場合には、ユーザが、当該機能アイコン３２０を選択したといえる。この場合、撮像装置１０は、当該機能アイコン３２０に対応する機能の実行指示が入力されたと判断し、録画された動画像の少なくとも一部の区間に対して、当該機能アイコン３２０に対応する機能を実行する。
【０１０４】
例えば、録画確認画面３００の表示中に、ユーザが削除アイコン３２０Ｃにタップすると、撮像装置１０は、記録媒体２に記録された動画像を削除する。この場合、削除アイコン３２０Ｃに対するユーザの選択操作に対して直接、動画像を削除してもよいし、或いは、削除するか否かを確認するための確認ダイアログ（図示せず）を表示して、ユーザ確認が得られた場合に、動画像を削除してもよい。また、動画像を削除する方法としては、例えば、記録媒体２に記録されている動画像のデータを完全に削除する方法の他、当該動画像のデータを削除リストに移動させて所定期間保持した後に削除する方法、又は、実際には動画像のデータは保存されているが、ユーザに当該データを提示しない方法などがある。
【０１０５】
また、録画確認画面３００の表示中に、ユーザが再生アイコン３２０Ａにタップすると、撮像装置１０は、記録媒体２に記録された動画像を例えば先頭から再生して、表示パネル２０に表示する。また、ユーザがサムネイル画像３１０にタップすると、撮像装置１０は、そのサムネイル画像３１０に対応する位置から、又は、そのサムネイル画像３１０に対応する区間の先頭から、動画像を再生開始するようにしてもよい。
【０１０６】
また、録画確認画面３００の表示中に、ユーザがレーティングアイコン３２０Ｂにタップすると、撮像装置１０は、記録媒体２に記録された動画像に対して、ユーザにより指定された評価値を付与する。例えば、ユーザによりレーティングアイコン３２０Ｂが選択されると、撮像装置１０は、評価値を入力するための画面（図示せず。）を表示し、その入力画面内で指定された評価値を動画像に付与するようにしてもよい。入力された評価値の情報は、動画像に関連づけてメモリ等に保存される。評価値は、例えばレベル１〜レベル５までの多段階で付与することが可能である。
【０１０７】
以上では、録画された動画像全体に対して所定機能（削除、再生、レーティング等）を実行する例について説明したが、録画された動画像の一部の区間に対して部分的に所定機能を実行することも可能である。
【０１０８】
図６は、本実施形態に係る録画確認画面３００において、ユーザ指定されたサムネイル画像３１０に対応する動画像の一部の区間を削除するときのユーザ操作を示す図である。
【０１０９】
図６に示すように、ユーザは２本の指で、録画確認画面３００に表示された６枚のサムネイル画像３１０Ａ〜Ｆのうち先頭の２つのサムネイル画像３１０Ａ、３１０Ｂをタップし、削除アイコン３２０Ｃまでドラッグしてドロップする。かかるユーザ操作に応じて、撮像装置１０は、ユーザにより指定された２枚のサムネイル画像３１０Ａ、３１０Ｂに対応する区間の動画像を、部分的に削除する。
【０１１０】
このような動画像の部分削除を行うための処理について詳述する。録画確認画面３００の表示中にタッチパネル４０により検出された位置（第１の位置）が、複数のサムネイル画像３１０Ａ〜Ｆのうちの２枚のサムネイル画像３１０Ａ、３１０Ｂの表示位置に対応する場合には、ユーザが、当該２枚のサムネイル画像３１０Ａ、３１０Ｂに対応する区間の動画像を選択したといえる。その後、ユーザによるサムネイル画像３１０Ａ、３１０Ｂのドラッグアンドドロップ操作時に、タッチパネル４０により検出された位置（第２の位置）が、複数の機能アイコン３２０Ａ〜Ｃのうち削除アイコン３２０Ｃの表示位置に対応する場合には、ユーザが、当該削除アイコン３２０Ｃを選択したといえる。この場合、撮像装置１０は、上記２枚のサムネイル画像３１０Ａ、３１０Ｂに対応する区間の動画像に対して、削除アイコン３２０Ｃに対応する削除機能の実行指示が入力されたと判断し、当該区間の動画像を部分的に削除する。この部分削除機能では、サムネイル画像３１０Ａに対応する区間の動画像と、サムネイル画像３１０Ｂに対応する区間の動画像を削除してもよいし、又は、サムネイル画像３１０Ａに対応するフレームからサムネイル画像３１０Ｂに対応するフレームまでの動画像を削除してもよい。
【０１１１】
また、上記では動画像を部分的に削除する場合を説明したが、動画像の一部の区間を再生する場合や、動画像の一部の区間に評価値を付与する場合も同様に実行可能である。部分再生の場合、撮像装置１０は、ユーザにより指定された１又は２以上のサムネイル画像３１０に対応する区間の動画像を部分的に再生する。また、部分レーティングの場合、撮像装置１０は、ユーザにより指定された１又は２以上のサムネイル画像３１０に対応する区間の動画像に対して、評価値を部分的に付与する。
【０１１２】
さらに、サムネイル画像３１０にインデックスが付加されている場合には、ユーザは、録画確認画面３００内のインデックスマーク３１２を目安にして、上記動画像に対する操作を行うことができる。
【０１１３】
以上、図５及び図６を参照して、録画確認画面３００における画像操作機能について説明した。本実施形態に係る録画確認画面３００の画像操作機能によれば、ユーザは、動画像を録画した直後の記憶な鮮明なうちに、動画像の一部又は全部を再生、削除、又はレーティングすることができる。しかも、かかる動画像に対する操作、編集作業は、タッチパネル４０を用いてサムネイル画像３１０と機能アイコン３２０を選択するという簡単なユーザ操作で実現できる。
【０１１４】
従来の撮像装置では、録画した動画像を事後的に選別・編集する場合、動画像を再生してその内容を確認する必要があり、非常に煩雑で非効率的な作業であった。これに対し、本実施形態に係る録画確認画面３００によれば、ユーザの記憶が鮮明なうちに、動画像の不要部分を削除するなどして編集することができるので、編集作業が容易であり、非常に便利である。また、録画直後に録画確認画面３００において、動画像の一部区間を部分的にレーティングしておけば、事後的に動画像を再生閲覧したり編集したりする際にも便利である。
【０１１５】
例えば、父親が撮像装置１０で子供を撮像する場合、一般的に、子供は撮像装置１０の方を向かずにきょろきょろしており、子供が振り向くかなと思っても振り返らないことがよくある。従って、子供が振り向いているシャッターチャンスにかかわらずに、長時間に渡って子供を撮像するユースケースが多くなる。かかる原因により、録画された動画像のデータは、不要なシーンを撮像したデータも多く含んでいる。かかるユースケースでは、従来のように単に動画像から複数のサムネイル画像を抽出して表示したとしても、似たような子供の画像が並んでしまうことになり、事後的な編集作業では、動画像のどの部分を削除したらよいかを探すことが煩雑である。これに対し、本実施形態に係る撮像装置１０では、録画直後の撮像者の記憶が鮮明なうちに、録画確認画面３００で動画像を編集できるので、編集作業を容易かつ効率的に実行できる。
【０１１６】
［録画確認画面の表示フロー］
次に、図７を参照して、本実施形態に係る撮像装置１０において、録画確認画面３００の表示処理を含む録画終了前後の処理フローについて説明する。図７は、本実施形態に係る撮像装置１０による録画終了時の処理方法を示すフローチャートである。なお、図７では、図５で説明した録画確認画面３００の削除アイコン３２０Ｃにより削除機能が実行された場合の処理フローを示している。
【０１１７】
図７に示すように、撮像装置１０は、録画開始時指示から録画終了指示までの録画期間では、被写体を撮像するとともに、当該撮像により得た画像をディスク状記録媒体２に記録する。かかる録画期間中には、撮像装置１０は、ユーザにより録画終了指示が入力されたか否か、つまり、録画終了ボタン（即ち、動画撮像用ボタン３０Ｅ）が押下されたか否かを検出している（Ｓ１００）。
【０１１８】
録画終了ボタンが押下された場合には、撮像装置１０は、動画像の撮像及び記録動作（録画動作）を終了するとともに（Ｓ１０２）、録画終了した動画像に関する所定数Ｋのサムネイル画像３１０を生成する（Ｓ１０４）。
【０１１９】
このＳ１０４において所定数Ｋのサムネイル画像３１０を生成する方法について詳述する。例えば、撮像装置１０は、録画期間中に一定の時間間隔で多数のサムネイル画像を生成してデータベースに保存しておき、録画終了時に、当該多数のサムネイル画像の中から、録画された動画像を所定数Ｋに時分割した各区間のサムネイル画像３１０を１枚ずつ抽出してもよい。このとき、当該多数のサムネイル画像の中から、動画像の録画時間を所定数Ｋに時分割した各時間に最も近い時間に生成されたものを、各区間のサムネイル画像３１０として抽出してもよい。また、別の方法として、撮像装置１０は、録画終了後に、録画時間を所定数Ｋに時分割した各時点での動画像のフレームをデコードして、所定数Ｋのサムネイル画像３１０を得てもよい。また、インデックスが付加された動画像の区間については、撮像装置１０は、インデックスが付加された時点のフレームをデコードして、当該フレームの画像をその区間のサムネイル画像３１０として優先的に抽出してもよい。
【０１２０】
次いで、撮像装置１０は、録画確認画面３００を表示パネル２０に表示する（Ｓ１０６）。録画確認画面３００は、Ｓ１０４で生成した所定数Ｋのサムネイル画像３１０が時系列順に配列されており、さらに、機能アイコン３２０を含む。以上のようにして、Ｓ１００で録画終了指示が入力された直後（即ち、録画終了ボタンの押下直後）に、録画確認画面３００が表示される。この録画確認画面３００は、機能アイコン３２０を用いた画像操作機能（Ｓ１０８）が実行されない限りは、所定時間Ｔｓだけ表示され（Ｓ１１４）、Ｔｓの経過後に自動的に消去されて、録画待機画面２６２が表示される（Ｓ１２０）。
【０１２１】
録画確認画面３００の表示後、所定時間Ｔｓが経過するまでは、撮像装置１０は、ユーザにより録画確認画面３００内の機能アイコン３２０（例えば削除アイコン３２０Ｃ）が操作されたか否かを検出する（Ｓ１０８）。この結果、削除アイコン３２０Ｃが押下された場合、撮像装置１０は、録画された動画像の全部又は一部を削除する（Ｓ１１０）。図５に示したように、録画確認画面３００において削除アイコン３２０Ｃがタッチされた場合には、動画像の全部が削除される。一方、図６で示したように、一部のサムネイル画像３１０Ａ、３１０Ｂを選択してから削除アイコン３２０Ｃが操作された場合には、選択されたサムネイル画像３１０Ａ、３１０Ｂに対応する区間の動画像のみが部分的に削除される。
【０１２２】
その後、Ｓ１１０で動画像の全部が削除された場合には（Ｓ１１２）、撮像装置１０は、録画確認画面３００を消去して、録画待機画面２６２を表示する（Ｓ１２０）。一方、Ｓ１１０で動画像の一部が削除された場合には（Ｓ１１２）、撮像装置１０は、表示時間が所定時間Ｔｓとなるまで録画確認画面３００を表示し続け（Ｓ１１４）、Ｔｓの経過後に録画確認画面３００を自動的に消去して、録画待機画面２６２を表示する（Ｓ１２０）。この録画待機画面２６２は、撮像装置１０により撮像中のライブビュー画面であり、撮像装置１０により撮像を行っているが録画を行っていない録画待機モードで表示される。この録画待機モードにおいて、ユーザにより録画開始指示が入力（録画開始ボタンが押下）されると、録画待機モードから録画モードに移行して、撮像された動画像が記録媒体２に記録開始される。
【０１２３】
以上、図７を参照して、録画終了前後の処理フローについて説明した。なお、図７では、削除機能を実行する場合の処理フローについて説明したが、削除機能以外の所定機能、例えば、再生機能、レーティング機能についても同様に実施できる。ただし、例えばレーティング機能では、動画像に評価値を付与した後（Ｓ１１０に相当する。）に、録画待機画面２６２（Ｓ１２０に相当する。）に移行せずに、録画確認画面３００に戻ってもよい（Ｓ１１０→Ｓ１１４に相当する。）。また、再生機能でも、選択された区間の動画像の再生後（Ｓ１１０に相当する。）に、録画待機画面２６２（Ｓ１２０に相当する。）に移行せずに、録画確認画面３００に戻ってもよい（Ｓ１１０→Ｓ１１４に相当する。）。
【０１２４】
＜第２の実施形態＞
次に、本発明の第２の実施形態について説明する。第２の実施形態に係る撮像装置１０は、動画像の録画直後に、上述した第１の実施形態に係る録画確認画面３００に加え、地図画面４００を表示する。なお、第２の実施形態は、第１の実施形態と比べて地図画面４００を表示する点で相違し、その他の機能構成は第１の実施形態と実質的に同一であるのでその詳細説明は省略する。
【０１２５】
［録画確認画面及び地図画面の表示例］
図８及び図９を参照して、第２の実施形態に係る録画確認画面３００及び地図画面４００の表示例について説明する。図８は、本実施形態に係る録画確認画面３００の表示例を示す図であり、図９は、本実施形態に係る地図画面４００の表示例を示す図である。
【０１２６】
図８に示すように、第２の実施形態に係る撮像装置１０は、上記第１の実施形態と同様、録画終了直後に録画確認画面３００を表示パネル２０の表示画面２６０に表示する。図８に示す録画確認画面３００では、上下３段に９枚のサムネイル画像３１０Ａ〜Ｉが時系列順に表示されており、所定数Ｋ＝９となっている。また、機能アイコン３２０も第１の実施形態と同様である。かかる録画確認画面３００を見たユーザは、録画された動画像の全体内容を容易に把握できる。
【０１２７】
さらに、第２の実施形態に係る撮像装置１０は、録画終了直後に録画確認画面３００（図８参照）を所定時間Ｔｓだけ表示した後に、当該録画確認画面３００に代えて地図画面４００（図９参照）を表示する。さらに、撮像装置１０は、地図画面４００を所定時間Ｔｓ２（例えば５秒）だけ表示した後に、当該地図画面４００を消去して、録画待機画面２６２を表示する。この地図画面４００について以下に詳述する。
【０１２８】
地図画面４００は、同一イベントに関し現在及び過去に録画された１又は２以上の動画像の撮像位置を表すマーク４１０、４１２を地図中にマッピングした画面である。この地図画面は、録画された動画像の撮像位置を確認するための撮像位置確認画面として機能する。また、上記イベントは、例えば、旅行、運動会など、撮像装置１０のユーザが体験する１つのまとまった行事である。例えば、ユーザが東京に旅行したときには、東京タワー、東京湾、公園、皇居などの観光地を訪れるが、これら観光地を巡る旅行全体を１つのイベントとして考える。地図画面４００は、１つのイベント内で１又は２以上の動画像を録画したときに、それら動画像を撮像したときの地理的位置を地図上にマッピングしたものである。ここで、動画像は、１回の連続した撮像及び録画動作で得られた画像（クリップとも称される。）である。図９に示す地図画面４００では、現在録画終了したばかりの動画像の撮像位置を表すマーク４１０と、同一イベント内で録画された他の動画像の撮像位置を表す複数のマーク４１２が地図上に表示されている。マーク４１０とマーク４１２は、相異なる表示態様（例えば色の違い）で表示されるので、ユーザは、現在録画終了した動画像の撮像位置を識別できる。
【０１２９】
撮像装置１０は、撮像装置本体に搭載された測位機能（例えばＧＰＳ機能）を利用して、地図画面４００を生成する。例えば、撮像装置１０は、上記測位部１２２により撮像中に記録された位置情報に基づいて、地図画面４００を生成可能である。詳細には、測位部１２２は、動画像（クリップ）の録画期間中に、撮像装置１０の現在位置（例えば緯度・経度）や移動軌跡を表す位置情報を、任意の時間間隔（例えば１分ごと）に複数生成する。さらに、測位部１２２は、生成した位置情報を、録画された動画像に関連づけてメモリ２４２に保存する。このとき、位置情報は、例えば、データベースファイル（ＡＶｉｎｄｅｘファイル等）として保存されてもよい。その後、地図画面４００を表示するときには、上記地図画面生成部２４０は、メモリ２４２から、各動画像の位置情報のうち、代表となる位置情報を読み出し、当該位置情報に基づいて各動画像の撮像位置をマッピングすることで、地図画面４００を生成する。ここで、代表となる位置情報とは、例えば、（ａ）動画像の先頭の位置情報、（ｂ）動画像の全ての位置情報の平均値又は重心値、（ｃ）動画像の全ての位置情報のうち、所定割合以上（例えば８０％以上）で集中している位置の位置情報、などである。
【０１３０】
以上のようにして、撮像装置１０は、録画終了直後に、録画したばかりの動画像の録画確認画面３００を表示し、さらに地図画面４００も表示する。かかる地図画面４００により、ユーザは、同一イベント内での撮像位置の軌跡を地図で確認することが可能となる。ユーザは、イベント（例えば旅行）を行うときに、自身で決めたシナリオに従って、所望の場所で所望の構図で動画像を撮像する。従って、地図画面４００を表示して、現在及び過去に録画された複数の動画像を地図上で一覧表示することで、各動画像の撮像場所、移動軌跡をユーザに提示して、ユーザに印象づけることができる。これにより、ユーザの記憶がより鮮明になり、また、ユーザ所望の場所での撮り忘れも防止できる。
【０１３１】
なお、図９に示す地図画面４００は、録画された動画像の撮像位置を確認するための録画確認画面として機能する。本実施形態では、録画終了直後にまず録画確認画面３００を表示し、所定時間Ｔｓ経過後に、録画確認画面３００を地図画面４００に切り替え、地図画面４００を所定時間Ｔｓ２だけ表示した後に消去する。しかし、かかる例に限定されず、例えば、図９に示したような地図画面４００を図５で示した録画確認画面３００に含めてもよい。また、図５で示した録画確認画面３００に更に地図アイコン（図示せず。）を表示し、ユーザによりその地図アイコンがタップされると、録画確認画面３００から地図画面４００に切り替わるようにしてもよい。
【０１３２】
［録画確認画面の表示フロー］
次に、図１０を参照して、第２の実施形態に係る撮像装置１０において、録画確認画面３００及び地図画面４００の表示処理を含む録画終了前後の処理フローについて説明する。図１０は、本実施形態に係る撮像装置１０による録画終了時の処理方法を示すフローチャートである。なお、図１０では、図８で説明した録画確認画面３００の削除アイコン３２０Ｃにより削除機能が実行された場合の処理フローを示している。
【０１３３】
図１０に示すＳ２００〜Ｓ２１４の処理は、図７で説明したＳ１００〜Ｓ１１４の処理とそれぞれ同一であるので詳細説明は省略する。
【０１３４】
図１０のフローでは、Ｓ２０６での録画確認画面３００の表示後に、機能アイコン３２０に対するユーザ操作がなされない場合（Ｓ２０８でのＮＯ）と、動画像が部分的に削除された場合（Ｓ２１２のＹＥＳ）に、Ｓ２１４に進む。Ｓ２１４では、撮像装置１０は、録画確認画面３００の表示時間が所定時間Ｔｓを経過したか否かを判定する。
【０１３５】
Ｓ２１４で録画確認画面３００の表示時間が所定時間Ｔｓとなった場合には、撮像装置１０は、録画確認画面３００を消去して、地図画面４００を表示する（Ｓ２１６）。撮像装置１０は、録画期間中に測位部１２２により保存された位置情報を用いて、現在及び過去に録画された各動画像の撮像位置を特定し、当該各動画像の撮像位置を表すマーク４１０、４１２を地図上にマッピングして、地図画面４００を生成する。そして、撮像装置１０は、表示パネル２０に表示される画面を、録画確認画面３００から地図画面４００に切り替える。
【０１３６】
その後、撮像装置１０は、地図画面４００の表示時間が所定時間Ｔｓ２を経過したか否かを判定する（Ｓ２１８）。表示時間が所定時間Ｔｓ２となるまで、地図画面４００が表示され続ける。Ｓ２１８で地図画面４００の表示時間が所定時間Ｔｓ２となった場合には、撮像装置１０は、地図画面４００を自動的に消去して、録画待機画面２６２を表示する（Ｓ２２０）。
【０１３７】
以上、図１０を参照して、録画終了前後の処理フローについて説明した。なお、図１０でも、削除機能を実行する場合の処理フローについて説明したが、削除機能以外の所定機能、例えば、再生機能、レーティング機能についても同様に実施できる。ただし、再生機能又はレーティング機能においては、その機能実行後（Ｓ２１０に相当する。）に、録画待機画面２６２（Ｓ２２０に相当する。）に移行せずに、録画確認画面３００に戻ってもよい（Ｓ２１０→Ｓ２１４に相当する。）。
【０１３８】
＜第３の実施形態＞
次に、本発明の第３の実施形態について説明する。第３の実施形態に係る撮像装置１０は、録画確認画面５００内に各サムネイル画像５１０を、当該各サムネイル画像５１０に対応する区間の時間長に応じた表示態様で表示する。なお、第３の実施形態は、第１の実施形態と比べてサムネイル画像５１０の表示態様が相違し、その他の機能構成は第１の実施形態と実質的に同一であるのでその詳細説明は省略する。
【０１３９】
［録画確認画面の表示例］
まず、図１１〜図１３を参照して、第３の実施形態に係る録画確認画面５００の表示例について説明する。図１１〜図１３は、本実施形態に係る録画確認画面５００の表示例を示す図である。図１１は、録画時間が短い動画像の録画確認画面５００の例であり、図１２は、録画時間が長い動画像の録画確認画面５００の例であり、図１３は、異なる時間長の区間に時分割された動画像の録画確認画面５００の例である。
【０１４０】
図１１〜図１３に示すように、第３の実施形態に係る撮像装置１０は、上記第１の実施形態と同様に、録画終了直後に録画確認画面５００を表示パネル２０の表示画面２６０に表示する。図１１に示す録画確認画面５００では、上下３段に９枚のサムネイル画像５１０Ａ〜Ｉが時系列順に表示されており、所定数Ｋ＝９となっている。また、録画確認画面５００に表示される機能アイコン３２０も、第１の実施形態と同様である（図５参照。）。かかる録画確認画面５００を見たユーザは、録画された動画像の全体内容を容易に把握できる。
【０１４１】
さらに、第３の実施形態に係る録画確認画面５００では、各サムネイル画像５１０が３次元的に表示されており、この３次元表示されたサムネイル画像５１０の高さは、当該各サムネイル画像５１０に対応する区間の動画像の時間長に応じた高さとなっている。このような表示態様でサムネイル画像５１０を表示する利点について以下に説明する。
【０１４２】
第１の実施形態で説明したように、録画確認画面３００に表示されるサムネイル画像３１０の表示数は、常に固定の所定数Ｋであり、図５の例では、Ｋ＝９である。この理由は、録画確認画面３００を見たユーザが、短時間で録画内容を確認できるようにするためである。１画面内に適切なサイズで表示可能なサムネイル画像３１０の数は限られており、また、画面スクロールせずに、ユーザが１目で把握可能なサムネイル画像３１０の数にも限りがある。そこで、録画された動画像の時間長（即ち、録画時間）が、長くても短くても、録画確認画面３００内のサムネイル画像３１０の表示数を所定数Ｋ（例えば９枚）に固定している。
【０１４３】
しかし、第１の実施形態の録画確認画面３００のように、単に所定数Ｋのサムネイル画像３１０を表示するだけであると（図５参照。）、その録画確認画面３００が表す動画像の録画時間の尺が分からない。
【０１４４】
そこで、第３の実施形態に係る録画確認画面５００（図１１及び図１２参照。）では、各サムネイル画像５１０に対応する区間の時間長に応じて、各サムネイル画像５１０を３次元表示する。例えば、図１１に示す録画確認画面５００よりも、図１２に示す録画確認画面５００の方が、動画像の録画時間が長いので、３次元表示されるサムネイル画像５１０の高さが高くなっている。これにより、ユーザは、録画確認画面５００内のサムネイル画像５１０の３次元表示の態様（例えば高さ）を見ることで、動画像の録画時間の尺を相対的に認識できる。例えば、図１１の例の動画像の録画時間よりも、図１２の例の動画像の録画時間の方が長く、動画像を時分割した各区間の時間長も長いことを把握できる。
【０１４５】
図１１及び図１２の例では、動画像を均等に所定数Ｋの区間に時分割しているので、全ての区間の時間長は同一となっている。このため、図１１及び図１２に示すように、１つの動画像に関する録画確認画面５００では、全てのサムネイル画像５１０が３次元表示される高さは同一である。
【０１４６】
一方、図１３の録画確認画面５００は、動画像を時分割した各区間の時間長が相違する場合を示す。例えば、録画された動画像に対してシーン認識を行い、認識されたシーンごとに動画像を所定数Ｋの区間に時分割した場合には、各区間の時間長は、対応するシーンの長さに応じて相異なる。かかる場合には、図１３に示すように、当該動画像の録画確認画面５００では、３次元表示されるサムネイル画像５１０は、対応する区間の時間長（即ち、シーンの時間長）に応じて異なる高さで表示される。例えば、サムネイル画像５１０Ａは、最も高く表示されているので、サムネイル画像５１０Ａに対応する区間の時間長が最も長いことが分かる。これとは逆に、サムネイル画像５１０Ｈは、最も低く表示されているので、サムネイル画像５１０Ｈに対応する区間の時間長が最も短いことが分かる。これにより、ユーザは、各サムネイル画像５１０に対応する区間の時間長を把握できるので、区間ごとの削除、再生、レーティング等の機能操作を行う上で便利である。
【０１４７】
なお、図１３の例では、サムネイル画像５１０に対応する動画像の区間長に応じて、サムネイル画像５１０の表示態様（３次元表示の高さ）を変えたが、かかる例以外にも、例えば、区間に付加されたインデックスの数に応じてサムネイル画像５１０の表示態様を変えてもよい。このようにインデックス数が多い区間ほど、３次元表示されるサムネイル画像５１０を高くすることで、インデックスが付加された区間を強調できる。
【０１４８】
［地図画面の表示例］
次に、図１４及び図１５を参照して、第３の実施形態に係る地図画面６００内で各動画像の撮像位置を表すマークを、当該各動画像の時間長（録画時間）に応じた表示態様で表示する例について説明する。図１４は、動画像の録画時間を円形マーク６１０、６１２の大きさで表現した例であり、図１５は、動画像の録画時間を円柱状マーク６２０、６２２の高さで表現した例である。なお、第３の実施形態に係る地図画面６００は、マークの表示態様以外の機能構成は、上記第２の実施形態に係る地図画面４００と略同一であるので詳細説明は省略する。
【０１４９】
図１４及び図１５に示すように、本実施形態に係る地図画面６００では、１つのイベント内で録画された複数の動画像の撮像位置を表すマーク６１０、６１２、６２０、６２２が、地図上にマッピングして表示される。このとき、マーク６１０、６１２、６２０、６２２の表示態様が、対応する動画像の録画時間に応じて異なる。
【０１５０】
例えば、図１４に示す例では、円形マーク６１０、６１２の直径が、動画像の録画時間に相当しており、円形マーク６１０、６１２の直径が大きいほど、動画像の録画時間が長いことを表している。また、図１４に示す例では、円柱状マーク６２０、６２２の高さが、動画像の録画時間に相当しており、円柱状マーク６２０、６２２の高さが高いほど、動画像の録画時間が長いことを表している。
【０１５１】
このように本実施形態では、地図画面６００内に、各動画像の撮像位置を表すマーク６１０、６１２、６２０、６２２を、当該各動画像の録画時間に応じた表示態様で表示する。これにより、ユーザは、地図画面６００を見ることで、１つのイベントに関して現在及び過去に録画された複数の動画像の録画時間の尺を相対的に把握することができる。よって、複数の動画像の録画時間の割合や各動画像の要否を判断したり、当該動画像を編集したりする上で便利である。
【０１５２】
＜第４の実施形態＞
次に、本発明の第４の実施形態について説明する。第４の実施形態に係る撮像装置１０は、録画確認画面３００内の２つのサムネイル画像３１０に対する所定のユーザ操作に応じて、より細分化されたサムネイル画像３１０をして表示する。なお、第４の実施形態は、第１の実施形態と比べて、細分化されたサムネイル画像３１０を表示する点で相違し、その他の機能構成は第１の実施形態と実質的に同一であるのでその詳細説明は省略する。
【０１５３】
［録画確認画面の表示例］
図１６〜図１９を参照して、第４の実施形態に係る録画確認画面３００の表示例について説明する。図１６〜図１９は、本実施形態に係る録画確認画面３００において、段階的に細分化されたサムネイル画像３１０を表示する例を示す図である。図１６は、録画確認画面３００に対する所定の入力操作（ピンチアウト操作：Ｐｉｎｃｈ−ｏｕｔ  Ｏｐｅｒａｔｉｏｎ）を例示し、図１７〜図１９は、４分割、８分割、１６分割されたサムネイル画像３１０を例示している。
【０１５４】
第１の実施形態で述べたように、録画確認画面３００内の複数のサムネイル画像３１０は、録画された動画像を時分割した各区間を代表する静止画である。このとき、時分割される区間の個数は所定数Ｋであるので、録画確認画面３００におけるサムネイル画像３１０の表示数も、デフォルトで所定数Ｋとなる。このように、サムネイル画像３１０の表示数を所定数Ｋに固定することで、１つの録画確認画面３００内に、所定数Ｋのサムネイル画像３１０Ａ〜３１０Ｉを好適なサイズで表示でき、画面をスクロールさせずとも、動画像の全体構成を的確に提示できるという利点がある。しかし、録画確認画面３００内の所定数Ｋのサムネイル画像３１０Ａ〜３１０Ｉだけでは、動画像の内容を十分に判断できないため、任意の２つのサムネイル画像３１０に対応する区間の動画像の内容を、より詳細に確認したいケースも存在する。
【０１５５】
かかるケースに対応すべく、第４の実施形態に係る撮像装置１０は、タッチパネル４０により多様なユーザ入力操作を検出可能であることを利用して、録画確認画面３００内の２つのサムネイル画像３１０Ｂ、３１０Ｃに対する所定の入力操作（ピンチアウト操作）を検出する。そして、タッチパネル４０により当該入力操作が検出された場合、撮像装置１０は、上記２つのサムネイル画像３１０Ｂ、３１０Ｃに対応する２つの区間の動画像を、より細かく時分割して３以上のサブ区間を設定し、当該各サブ区間に対応する３以上の細分化されたサムネイル画像を生成して、録画確認画面３００内に表示する。
【０１５６】
図１６は、録画確認画面３００内の２つのサムネイル画像３１０Ｂ、３１０Ｃに対して、ユーザが所定の入力操作（ピンチアウト操作）を行っている状態を示す。図１６に示すように、ピンチアウト操作を行う場合、ユーザは２本の指で２つのサムネイル画像３１０Ｂとサムネイル画像３１０Ｃをタップしたまま、双方のサムネイル画像３１０Ｂ、３１０Ｃを左右に引き離すような軌跡で指を移動させる。タッチパネル４０は、表示画面２６０上の位置だけでなく、指等の操作体の移動軌跡も検出できるので、上記ピンチアウト操作も検出可能である。
【０１５７】
このようなピンチアウト操作がタッチパネル４０により検出されると、撮像装置１０は、当該操作で指定された２つのサムネイル画像３１０Ｂ、３１０Ｃに対応する区間を細分化したサブ区間を設定し、そのサブ区間に対応する複数のサムネイル画像３３０をそれぞれ生成する。サブ区間は、元の区間の時間長を均等に時分割して設定される。また、サムネイル画像３３０は、サブ区間の任意の時点（例えば、先頭、末尾又は中間）のフレームを抽出した画像であってよい。そして、撮像装置１０は、元の２つのサムネイル画像３１０Ｂ、３１０Ｃが表示されていた領域に、細分化したサブ区間に対応する複数のサムネイル画像３３０を、より小さいサイズで時系列順に表示する。
【０１５８】
図１７は、サムネイル画像３１０Ｂ、３１０Ｃに対応する区間を４分割したサブ区間を設定し、その４個のサブ区間に対応する４枚のサムネイル画像３３０Ａ〜Ｄを時系列順に並べて表示した例である。同様に、図１８は、サムネイル画像３１０Ｂ、３１０Ｃに対応する区間を８分割したサブ区間を設定し、８枚のサムネイル画像３３０Ａ〜Ｈを時系列順に並べて表示した例である。また、図１９は、サムネイル画像３１０Ｂ、３１０Ｃに対応する区間を２４分割したサブ区間を設定し、２４枚のサムネイル画像３３０Ａ〜Ｘを３段に時系列順に並べて表示した例である。左上のサムネイル画像３３０Ａが、２４分割したサブ区間のうちの先頭のサブ区間のサムネイル画像であり、右下のサムネイル画像３３０Ｘが末尾のサブ区間のサムネイル画像である。１段ではサムネイル画像３３０のサイズが小さくなりすぎる場合には、図１９に示すように、複数段で多数のサムネイル画像３３０を表示してもよい。
【０１５９】
以上のように、図１６の録画確認画面３００内の２つのサムネイル画像３１０Ｂ、３１０Ｃに対してピンチアウト操作することで、図１７に示す４分割されたサムネイル画像３３０Ａ〜３３０Ｄが表示される。また、図１７の録画確認画面３００の２つのサムネイル画像３３０Ａ、３３０Ｄに対してピンチアウト操作することで、図１８に示す８分割されたサムネイル画像３３０Ａ〜３３０Ｈが表示される。さらに、図１８の録画確認画面３００の２つのサムネイル画像３３０Ａ、３３０Ｈに対してピンチアウト操作することで、図１９に示す２４分割されたサムネイル画像３３０Ａ〜３３０Ｘが表示される。
【０１６０】
このようにして、撮像装置１０は、ユーザによるピンチアウト操作に応じて、より細分化したサムネイル画像３３０を録画確認画面３００内に順次表示する。これにより、ユーザは、録画確認画面３００内でより詳細に見たい区間のサムネイル画像３１０に対してピンチアウト操作をおこなうことで、当該区間を細分化したより多くのサムネイル画像３３０を見ることができる。よって、ユーザは、録画終了直後に表示される録画確認画面３００により、画面をなぞるという簡単な操作で、録画された動画像の内容を詳細に確認することができる。
【０１６１】
さらに、図１６〜図１９で説明した細分化されたサムネイル画像３３０と、上述した機能アイコン３２０とを組み合わせることで、より細かい区間の動画像に対して、削除、再生、レーティング等の所定機能を実行できる。従って、録画確認画面３００を用いた編集作業の精度を向上することができる。例えば、ユーザは、細分化されたサムネイル画像３３０を指定してサブ区間の動画像を再生し、その内容を確認した後に、当該サブ区間のサムネイル画像３３０を、削除アイコン３２０Ｃにドラッグアンドドロップするこことで、当該サブ区間の動画像を削除することができる。
【０１６２】
また、ユーザは、上記のピンチアウト操作とは逆に、ピンチイン（ｐｉｎｃｈ−ｉｎ）操作を行ってもよい。このピンチイン操作では、ユーザは、２本の指で２つのサムネイル画像３３０をタップしたまま、双方のサムネイル画像３３０を引き寄せるような軌跡で指を移動させる。かかるピンチイン操作がタッチパネル４０により検出されると、撮像装置１０は、録画確認画面３００内で細分化されたサムネイル画像３３０（図１７〜図１９）を、元の粗い区間のサムネイル画像３１０（図１６）に戻す。これにより、録画確認画面３００において、録画された動画像のサムネイル画像３１０を自由な縮尺で表示させることができる。
【０１６３】
＜まとめ＞
以上、本発明の好適な実施形態に係る撮像装置１０と、録画確認画面の表示方法について詳細に説明した。本実施形態では、撮像装置１０による動画像の録画終了直後に、録画された動画像のオートレビュー機能と、当該動画像に対して所定機能を実行するための画像操作機能とを合わせ持った録画確認画面３００を表示する。
【０１６４】
これにより、動画像を録画した直後のユーザの記憶が鮮明なうちに、当該の動画像の全体構成をユーザに対して分かりやすく提示できる。よって、ユーザは、動画像の内容を容易かつ適切に把握でき、その動画像の内容や編集の要否などを容易に判断できる。また、ユーザが録画期間中にインデックスを付加した時点のサムネイル画像３１０も表示されるので、ユーザは、盛り上がったシーン等の録画内容をより適切に把握できる。
【０１６５】
また、動画像を録画した直後のユーザの記憶が鮮明なうちに、ユーザは、録画確認画面３００上での簡単な操作で、当該動画像の一部又は全部に対する所定機能（削除、再生、レーティング）を行うことができる。従って、従来よりも効率的に動画像を取り扱うことが可能である。特に、録画された動画像の不要な部分を削除する編集作業を、録画直後にタッチパネル４０に対する簡単な操作で実現できるので、編集作業を大幅に効率化できる。
【０１６６】
また、録画終了直後に、録画された動画像の録画確認画面３００に加えて地図画面４００も表示することにより、同一イベントに関して現在及び過去に録画された複数の動画像を地図上で一覧表示することができる。これにより、ユーザは、現在録画した動画像の撮像位置が、地図上のどこに位置しているかを確認できるとともに、同一イベントに関してこれまでに録画した動画像の撮像位置の軌跡や、現在までにどの位の動画像を録画したかを地図で確認することも可能となる。これにより、各動画像の撮像場所、移動軌跡をユーザに印象づけることができるので、ユーザの記憶がより鮮明になり、また、ユーザ所望の場所での撮り忘れも防止できる。
【０１６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１６８】
２  ディスク状記録媒体
４  メモリカード
１０  撮像装置
２０  表示パネル
３０  操作部
３０Ｅ  動画撮像用ボタン
３０Ｆ  インデックス用ボタン
４０  タッチパネル
１１０  コントロール回路
１２２  測位部
２００  撮像部
２１０  画像処理部
２２０  記録再生部
２３２  撮像制御部
２３４  サムネイル生成部
２３６  録画確認画面生成部
２３８  表示制御部
２４０  地図画面生成部
２４２  メモリ
２４４  インデックス情報生成部
２４６  機能制御部
２６０  表示画面
２６２  録画待機画面
３００、５００  録画確認画面
３１０、３３０、５１０  サムネイル画像
３１２  インデックスマーク
３２０  機能アイコン
３２０Ａ  再生アイコン
３２０Ｂ  レーティングアイコン
３２０Ｃ  削除アイコン
４００、６００  地図画面
４１０、４１２、６１０、６１２、６２０、６２２  マーク
【図１】
2010283538.tif 000003
【図２】
2010283538.tif 000004
【図３】
2010283538.tif 000005
【図４】
2010283538.tif 000006
【図５】
2010283538.tif 000007
【図６】
2010283538.tif 000008
【図７】
2010283538.tif 000009
【図８】
2010283538.tif 000010
【図９】
2010283538.tif 000011
【図１０】
2010283538.tif 000012
【図１１】
2010283538.tif 000013
【図１２】
2010283538.tif 000014
【図１３】
2010283538.tif 000015
【図１４】
2010283538.tif 000016
【図１５】
2010283538.tif 000017
【図１６】
2010283538.tif 000018
【図１７】
2010283538.tif 000019
【図１８】
2010283538.tif 000020
【図１９】
2010283538.tif 000021